(57)【要約】【課題】従来から使われている１本ピンや２本ピンの取り付け構造を備えたヘッドシェルとトーンアームとの接合構造の不完全さを改善するもので、嵌合部に誤差があっても、また部材の摩耗等の経年変化があっても、機械的にも強固で、電気的にも安定した接続ができる接続構造を実現する。【解決手段】２本の嵌合用ピンを有するレコード再生用トーンアームとヘッドシェルとの取り付け構造において、従来は、ヘッドシェルの円筒状嵌合部に嵌合用のピンを直接植設していたものを、両端面に嵌合用のピン部を形成した金属材や硬質樹脂などからなる独立した部材を用意し、これをヘッドシェルの円筒状嵌合部に設けた貫通孔に挿通させ、円筒状嵌合部からわずかな可動性を持った保持によって誤差を吸収し密着させる。【選択図】図１
2016095891.tif 000002
【特許請求の範囲】
【請求項１】
２本の嵌合用ピンを有するレコード再生用トーンアームとヘッドシェルとの取り付け構造において、ヘッドシェルの円筒状嵌合部の少なくとも一方のピンが可動性を有する構成としたことを特徴とするトーンアームとヘッドシェルとの取り付け構造。
【請求項２】
両端面に嵌合用のピン部を形成した嵌合部材は、略中央部を支持する部材に支えられ、ヘッドシェルの円筒状嵌合部内でシーソー運動することで、密着勘合を可能にしたことを特徴とする請求項１記載のトーンアームとヘッドシェルとの取り付け構造。
【請求項３】
両端面に嵌合用のピン部を形成した嵌合部材は、少なくとも一方のピン部が弾性を持ち、嵌合した状態で、２本のピンのそれぞれが同一方向に嵌合部を密着させるのに必要な圧力を有する弾性量にしたことを特徴とする請求項１および２に記載のトーンアームとヘッドシェルとの取り付け構造。
【発明の詳細な説明】
【技術分野】
【０００１】  本発明は、ＬＰやＳＰといったレコードの再生装置におけるトーンアームとヘッドシェルとの取り付け部分の改良に関する。
【背景技術】
【０００２】  レコード再生装置は、レコード表面に形成された溝状の音声信号を機械的に検知し、これを電気信号に変換するカートリッジと、このカートリッジをレコードの溝に追従させて移動させるトーンアーム部とからなる。カートリッジとトーンアームは、一体に形成されたものもあるが、一般的には異なるカートリッジを差替え自由にするため、分離、接続可能な構造のものが多い。また、カートリッジは、直接トーンアームに接続できるシェル一体構造のものもあるが、これも一般的にはヘッドシェルと呼ばれる取り付け部材を介して接続されるものが多い。【０００３】  ヘッドシェルは、カートリッジを機械的に固定すると共に、カートリッジからの電気信号をトーンアームに伝えるため、背面に円筒状の接合部を有しており、この接合部の上面にはトーンアームと接続、固定するためのピンが設けられている。また、円筒状の接合部端面には通常４点の電気信号の接点を有している。一方トーンアーム側には、前記円筒状の接合部を嵌挿するための円筒状の凹部を持ち、前記ヘッドシェルの固定のためのピンを挿入するための切り欠きと、ヘッドシェルを固定するための回転する固定用リングが設けられており、固定用リングの内側にはヘッドシェルの固定ピンを誘導するためのねじ溝が切られている。【０００４】  トーンアームにはヘッドシェルの電気信号接点の位置に合わせて円筒状の凹部の奥面に弾性保持された接点を有しており、ヘッドシェルの円筒状の接合部をトーンアームの接合部に挿入し、トーンアームの固定用リングを回すと、ピンがねじ溝に沿って引き込まれて双方の電気接点を押圧させることで電気的信号が伝達するようになる。【０００５】  カートリッジにとっては、もしもカートリッジ本体は振動せず、針先だけが振動するなら理想の変換が行われる。そのためには、ヘッドシェルとトーンアームとの接合部は機械的にも強固であり、電気的にも安定した接続が求められる。【０００６】  従来の上側のみ１本ピンでの接合構造の場合、トーンアームの固定リングを締めると、ピンの設置された上側がトーンアーム側に引き込まれる一方、ピンのない下側は十分に引き込まれず、接合部に空間ができ、電気的接合も接点が均一の押圧力で接触せず、接触不良や音質劣化の可能性も有り得る。【０００７】  従来もこの様な欠点を改良したものとして、ヘッドシェルの円筒状接合部の略反対側にもう１本のピンを設け、トーンアーム側は２本目のピン位置も入るように通常はなっているので、２箇所のピンで固定する構造になるものがある。しかし、２本ピンの構造の場合も、部材の加工精度不足や頻繁に着脱することによるピンや固定リングのねじ溝の摩耗によって接合部にガタが生じ、強固な固定ができなくなることはよく有る。【０００８】  また、別の解決策として、ヘッドシェルの接合部の基部にゴム材等の弾性リングを介在させることも行われている。しかし、この対策はカートリッジとトーンアームとを強い剛性で結合、保持できないのでこれも音質劣化の原因となっていた。
【発明の概要】
【発明が解決しようとする課題】
【０００９】  本発明は、従来から使われている１本ピンや２本ピンの取り付け構造のヘッドシェルとトーンアームとの接合構造の不完全さを改善するもので、嵌合部に誤差があっても、また部材の摩耗等の経年変化があっても、機械的にも強固で、電気的にも安定した接続が維持できる接続構造を実現することを目的としたものである。
【課題を解決するための手段】
【００１０】  そして本発明は、上記目的を達成するために２本の嵌合用ピンを有するレコード再生用トーンアームとヘッドシェルとの取り付け構造において、従来は、ヘッドシェルの円筒状嵌合部に嵌合用のピンを直接植設していて、誤差に対して融通の利かない頑固なものを、両端面に嵌合用のピン部を形成した金属材や硬質樹脂などからなる独立した部材を用意し、これをヘッドシェルの円筒状嵌合部に設けた貫通孔に挿通させ、円筒状嵌合部から誤差に対して柔軟性を持って密着する保持方法にて構成したものである。【００１１】    本発明による課題解決手段による作用は、従来ヘッドシェルの円筒状嵌合部に固着して設けられていた嵌合用のピンのうち、少なくとも一方のピンが可動性を有する構成とする。このため、トーンアームに装着し、固定リングを締めた時に、嵌合用部材の両端のピン部はその柔軟性により、固定リングのねじ溝に円滑に追従してヘッドシェルの円筒状嵌合部の一部のみに無理な力をかけることなく嵌合させることができる。【００１２】  また、次の解決手段として、両端面に嵌合用のピン部を形成した嵌合部材は、略中央部を支持する固定ピン等の部材に支えられ、ヘッドシェルの円筒状嵌合部内にてシーソー運動することで、嵌合部材は支持部材を支点に柔軟性を持つことになる。このため、トーンアームに装着し、固定リングを締めた時に固定リングのねじ溝に円滑に追従してヘッドシェルの円筒状嵌合部の一部に無理な力をかけることなく、全周が均等に密着する嵌合をさせることができるようになる。【００１３】  また、次の解決手段として、両端面に嵌合用のピン部を形成した嵌合部材は、少なくとも一方のピン部が弾性を持ち、嵌合した状態で、２本のピンのそれぞれが同一方向に嵌合部を密着させるのに必要な圧力が加わる弾性量を有するようにしたことを特徴としている。【００１４】  また、次の課題解決手段による作用は、両端面に嵌合用のピン部を形成した嵌合部材の形状を工夫することで弾性等による柔軟性を増加させたものである。両端のピンの移動できる自由度を増すために、図３実施例に示したように、嵌合部材を略Ｕ字形状としてピン部の前後へ移動する自由度を増大させた事例等が考えられるが、本発明はこの実施例に限定されるものではない。このような構造としたことで、極度に加工精度の悪いヘッドシェルやトーンアームであっても、また長期に使用し嵌合部の摩耗が激しいものにおいても、機械的、電気的嵌合が確実に図れる。
【発明の効果】
【００１５】  本発明によれば、ヘッドシェルをトーンアームに嵌合するにあたり、密着させることで、等価的に質量と強度が増し、しっかりした音が得られる。この結果、カートリッジはゴムリングなどの軟質材を介在させて誤差を吸収する考え方と異なり、剛性を持ってトーンアームに密着固定され、電気的接続も確実になるので、カートリッジの音響特性を確実に引き出すことができる。
また、加工精度の悪いヘッドシェルやトーンアームの嵌合、あるいは長期の使用によって嵌合部が摩耗していても、確実な嵌合を行うことができる。
【図面の簡単な説明】
【００１６】
【図１】本発明の実施形態を示す組立状態を示す斜視図である。
【図２】本発明の第１の接合部材を用いた組立状態を示す部分断面図である。
【図３】本発明の第２の接合部材を用いた組立状態を示す部分断面図である。
【発明を実施するための形態】
【００１７】  以下、本発明の実施の形態を図１〜図３に基づいて説明する。
【００１８】  まず、図１及び図２に示す実施の形態から説明する。第１の嵌合部材７は、金属板や硬質プラスチックなどの材料をプレス、切削あるいは成型などの手段で加工されている。長手方向の一方には、第１のピン８となる突起が形成されており、他方にも同様に第２のピン９が形成されている。二つのピン８、９が一直線上に並ばず、略１ｍｍオフセットされて設けられているのは、これらのピンはトーンアーム側の固定リングの内側にあるねじ溝のピッチ分だけずらして設けられている。また、第１の接合部材７のほぼ中央端に半円形に切除された支持部１０が形成されている。
【００１９】  次にヘッドシェルの円筒状嵌合部２の端面近くに第１の接合部材７が入るよりもほんの少し大きい貫通溝３が垂直に設けられている。また、この貫通溝１０と直交するように固定ピン５を挿入するための固定ピン貫通孔４が設けられている。そして、第１の接合部材７を貫通溝３に挿入すると、図２から明らかなように、支持部１０の切除部は固定ピン貫通孔４と一致する。そこで、固定ピン５を挿入すれば、第１の接合部材７は貫通溝３から抜けなくなるとともに、固定ピン５を支点として僅かにシーソー運動できる自由度も得られるので、嵌合精度の悪い場合などでも密着した嵌合が可能になる。
【００２０】  なお、固定ピン５の素材を硬質なものでなくある程度の弾性を有する部材を用いれば、支点自体の自由度を増やすこともできる。
【００２１】  図３は、同様の効果をより簡略化した実施態様を示したもので、第２の嵌合部材１１は、略Ｕ字形に加工されているので、下方の第２のピン９はバネ性をもっていて、嵌合すると左方向に押す力が生じる。この力と上方の第１のピン８が左へ押す力とが近ければバランスが取れて均等の力でヘッドシェルを引き込むので隙間なくトーンアーム嵌合する事になる。
【符号の説明】
【００２２】１      ヘッドシェル本体部
２      円筒状嵌合部
３      貫通溝
４      固定ピン用貫通孔
５      固定ピン
６      電気接点
７      第１の嵌合部材
８      第１のピン部
９      第２のピン部
１０    支持部
１１    第２の嵌合部材
【図１】
2016095891.tif 000003
【図２】
2016095891.tif 000004
【図３】
2016095891.tif 000005